【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】  開口端部を有するカップ・アセンブリであって、該カップ・アセンブリは、
(a)(i)側壁、頂部および端部を備えると共に熱可塑性プラスチックから形成された外側カップであって、該外側カップの端部は底壁部により閉成かつ密閉されると共に該外側カップの頂部は開口された外側カップと、(ii)側壁、頂部および端部を備えると共に熱可塑性プラスチックから形成された内側カップであって、該内側カップの端部は底壁部により閉成かつ密閉された内側カップとを備えた二重壁カップ・アセンブリであって、(iii)前記内側カップは、前記外側カップの内側面および該内側カップの外側面の各側壁間に密閉間隙を生成すべく前記外側カップ内に受容可能に構成される二重壁カップ・アセンブリ、
を備え、
(b)当該カップ・アセンブリは、自身上に着脱式取付キャップを有する幼児用溢流防止カップの形態であり、前記キャップはその一側から上方に突出する飲み口を有し、該飲み口は前記キャップと一体的に形成されると共に、該飲み口の外方突出尖端へと収束する前側壁部および裏側壁部を有し、且つ、
(c)前記二重壁カップ・アセンブリは、カップ断熱試験方法により試験されたときに21.1℃（70°F）に到達するために当該カップ・アセンブリが少なくとも約100分を要する如く十分な断熱機能を提供する、
カップ・アセンブリ。
【請求項２】  前記二重壁カップ・アセンブリは、カップ断熱試験方法により試験されたときに、前記外側カップと同一の熱可塑性材料で作成され且つ前記外側カップと実質的に同一のサイズおよび形状である同等の単一壁カップと比較して、21.1℃（70°F）に到達するために当該カップ・アセンブリが少なくとも約２倍の時間を要する如く十分な断熱機能を提供する、請求項１に記載のカップ・アセンブリ。
【請求項３】  前記二重壁カップ・アセンブリは、落下試験法により試験されたときに、当該カップ・アセンブリが亀裂形成も破壊もしない様に十分な衝撃強度を提供する、請求項２に記載のカップ・アセンブリ。
【請求項４】  前記内側カップおよび前記外側カップの側壁厚みは、約1.27mm乃至約1.524mm（約0.05インチ乃至約0.06インチ）であり、且つ、
前記内側カップは、前記外側カップの内側面および該内側カップの外側面の各側壁間に且つ前記外側カップおよび該内側カップの各底壁部間に密閉間隙を生成すべく、前記外側カップ内に受容可能に構成され、前記密閉間隙は約1.524mm乃至約2.032mm（約0.06インチ乃至約0.08インチ）である、請求項１に記載のカップ・アセンブリ。
【請求項５】  前記内側カップおよび前記外側カップの側壁厚みは約0.762mmm乃至約2.032mm（約0.03インチ乃至約0.08インチ）であり、且つ、
前記内側カップは、前記外側カップの内側面および該内側カップの外側面の各側壁間に且つ前記外側カップおよび該内側カップの各底壁部間に密閉間隙を生成すべく、前記外側カップ内に受容可能に構成され、前記密閉間隙は約1.016mm乃至約2.54mm（約0.04インチ乃至約0.1インチ）である、請求項１に記載のカップ・アセンブリ。
【請求項６】  前記外側カップの底部外側縁部において前記外側カップの壁厚より大きな厚みを有する湾曲領域と、前記外側カップの底部内側縁部の湾曲領域におけるノッチと、有する、請求項１に記載のカップ・アセンブリ。
【請求項７】  前記ノッチは、約0.508mm乃至約1.524mm（約0.02インチ乃至約0.06インチ）の小寸半径および約2.54mm乃至約7.62mm（約0.1インチ乃至約0.3インチ）の大寸半径を有する、請求項６に記載のカップ・アセンブリ。
【請求項８】  前記内側カップおよび前記外側カップの側壁厚みは約0.762mm乃至約2.032mm（約0.03インチ乃至約0.08インチ）であり、且つ、
前記密閉間隙は約1.016mm乃至約2.54mm（約0.04インチ乃至約0.1インチ）である、請求項６に記載のカップ・アセンブリ。
【請求項９】  当該カップ・アセンブリは、前記飲み口の近傍に配置されまたは前記飲み口に組み込まれたバルブを備え、該バルブは、前記飲み口からの液体の漏出を実質的に防止する、請求項１から請求項８のいずれか一つの請求項に記載のカップ・アセンブリ。
【請求項１０】  前記内側カップは、約177ml乃至約266ml（約6オンス乃至約9オンス）の液体を保持するに十分なサイズとされる、請求項１から請求項９のいずれか一つの請求項に記載のカップ・アセンブリ。
【請求項１１】  当該カップ・アセンブリは、ポリプロピレン、ポリエチレンおよびポリエステルから成る群から選択されたプラスチックで形成される、請求項１から請求項１０のいずれか一つの請求項に記載のカップ・アセンブリ。
【請求項１２】  前記外側カップは、截頭円錐形状もしくは円筒形状を有する、請求項１から請求項１１のいずれか一つの請求項に記載のカップ・アセンブリ。
【請求項１３】  前記外側カップの頂端部が前記内側カップと係合する領域における前記外側カップの外側部分に、前記密閉間隙を密閉するスピン溶接された層が配置される、請求項１から請求項１２のいずれか一つの請求項に記載のカップ・アセンブリ。
【請求項１４】  前記外側カップの頂端部が前記内側カップと係合する領域において当該カップ・アセンブリの外側部分に配置されることで前記密閉間隙を密閉する重ね成形リングを更に有する、請求項１から請求項１２のいずれか一つの請求項に記載のカップ・アセンブリ。
【請求項１５】  前記密閉間隙は、発泡体、発泡剤、発泡ポリスチレンおよび厚紙から成る群から選択された断熱材料を有する、請求項１から請求項１４のいずれか一つの請求項に記載のカップ・アセンブリ。
【請求項１６】  前記密閉間隙内には空気が在る、請求項１から請求項１４のいずれか一つの請求項に記載のカップ・アセンブリ。
【手続補正２】
【補正対象書類名】明細書
【補正対象項目名】００１３
【補正方法】変更
【補正の内容】
【００１３】
図５Ｃは、内側カップ12上の通気溝100の箇所を示す実施例である。図５Ｃは、内側カップ12および外側カップ11が最初に合致係合された時点における各カップの側壁の図である。間隙110は、外側カップ11と内側カップ12との間の空間である。内側カップ12および外側カップ11が結合されるときに排除される空気は、通気溝100を通過した後で間隙110を介して流出する。間隙110は、内側および外側カップ間の空気が、内側および外側カップを結合するに必要な時間内で十分に排除され且つ通気溝100を介して流出し得るべく十分に大寸である。同時に一実施例において間隙110は、重ね成形リングを形成すべくプラスチックが射出される領域120において重ね成形リングが成形される時点に先立ち、内側および外側カップの本来的収縮の間において該間隙が閉じる如く十分に小寸である。間隙110は重ね成形リングのためのプラスチックを射出する前に十分に閉じることにより、空気間隙20内にプラスチックが流入するのを回避することで、カップの断熱特性に対する不都合な影響を回避せねばならない。一実施例において間隙110の開きは、約1.5乃至約3mm、約2乃至約2.5mmもしくは約2.2mmである。
【手続補正３】
【補正対象書類名】明細書
【補正対象項目名】００１５
【補正方法】変更
【補正の内容】
【００１５】
図３に示された実施例において内側カップ12は成形型の“雄”部分上に在り且つ外側カップ11は成形型の“雌”部分上に在る。これらの成形型部分の故に、成形型内に内側および外側カップが在る間、(カップをテーブル上に着座させて図１の如く配向されたときに)内側カップ12は本来的に下方向に収縮し且つ(カップをテーブル上に着座させて図１の如く配向されたときに)外側カップ11は本来的に上方向に収縮する。故に一実施例において本発明は、成形型内に在る間に且つ重ね成形リングのためのプラスチックの射出に先立ち内側カップ12および外側カップ11が本来的に収縮するときに生じる本来的収縮であって間隙110が塞がるサイズを決定する本来的収縮を利用する。
【手続補正４】
【補正対象書類名】明細書
【補正対象項目名】００１６
【補正方法】変更
【補正の内容】
【００１６】
図５Ｃは、外側カップ11上の隆起部105を備えた更なる実施例を示している。隆起部105は外側カップ11の頂縁部に十分に接近して配置されることで上向きの収縮力を抑制することにより、外側カップ11が成形型内に在るときに外側カップ11の上方向の収縮を最小化する。故に間隙110は本質的に、内側カップ12が下方向に収縮するときに閉じられる。隆起部105の箇所は、外側カップの収縮の増大もしくは減少が所望されるか否かに依存していずれの方向にも移動され得ることは理解される。
【手続補正５】
【補正対象書類名】明細書
【補正対象項目名】００１９
【補正方法】変更
【補正の内容】
【００１９】
別の例において複数の垂直リブ26は、側壁16の外側面に接続されると共にカップ10の軸心方向長さに沿い延在する。典型的に、各リブ26は側壁16の外側面の回りに均一に分布されると共に、均一に離間された一連の間隙を各リブ26間に画成する。一例において各リブは近傍のリブから、間隙幅として知られる所定距離(たとえば約2乃至約3mm)だけ離間される。特定例において各垂直リブは三角形状であり、(a)三角形の頂点は２つのカップが組み合わされたときに外側カップの側壁13と接触し、(b)三角形の高さは約0.2乃至約0.4mmの範囲、より詳細には約0.3mmであり、且つ、(c)三角形の幅は約1乃至約3mmの範囲、より詳細には約2mmである。上記垂直リブの長さは所望の用途に対して選択され得るものであり、ひとつの用途においては約5乃至約15mmの範囲である。上記垂直リブは、上記容器に対してカバーが回転により着脱されるときに生ずる回転力の減少を支援することにより、内側カップが外側カップから引き抜かれるの防止する。上記垂直リブは内側カップの外壁を、外側カップの内側面の表面に対して圧縮嵌合により接触させる。